(57)【要約】【課題】ノートパソコンなどの情報処理装置に外部から衝撃や振動が加わったとしても、メモリーモジュールがコネクタから容易に離脱するのを防ぐことができる情報処理装置を実現する。【解決手段】コネクタ１３に対して空隙１５を挟んで対向する位置に支持部材１４を備えた構成とすることにより、コネクタ１３に装着されたメモリーモジュール４１が矢印Ｂに示す方向へ大きく変位するのを規制することができるので、第１の筐体１に衝撃や振動が加わったとしても、メモリーモジュール４１がコネクタ１３から離脱するのを防ぐことができる。【選択図】図４
2010092231.tif 000002
【特許請求の範囲】
【請求項１】
筐体内に配された電気回路基板と、
前記電気回路基板に実装され、電気回路モジュールの一方の端部に配された接続端子と電気的に接続可能な凹状の接続部を備えたコネクタと、
前記接続部に対して、前記電気回路モジュールを内在可能な空隙を挟んで対向する位置に配された支持部材とを備え、
前記支持部材は、前記コネクタに対する前記モジュールの挿脱方向への前記電気回路モジュールの変位を規制する位置に配されている、情報処理装置。
【請求項２】
前記コネクタ及び前記支持部材を目視可能なように前記筐体に形成された開口部と、
前記開口部を開閉可能な蓋体と、
前記開口部を閉塞した状態で前記蓋体を固定するネジとを備え、
前記支持部材は、前記筐体に形成された前記ネジを螺結するためのネジ穴に対して、前記ネジの螺結方向に重なる位置に配されている、請求項１記載の情報処理装置。
【発明の詳細な説明】
【技術分野】
【０００１】
本発明は、メモリーモジュールなどの各種電気回路モジュールを装置内に装着することができる情報処理装置に関する。
【背景技術】
【０００２】
近年、ノートパソコンなどの情報処理装置は、使用者においてメモリー増設などの各種機能拡張を行うことができるように構成されていることが多い。特許文献１には、メモリーモジュールを、ノートパソコン内のマザーボードに実装されたコネクタに装着する構成が開示されている。
【特許文献１】特開２００７−１２８６２号公報
【発明の開示】
【発明が解決しようとする課題】
【０００３】
しかしながら従来のメモリーモジュールは、コネクタに保持されているのみであるため、ノートパソコンに外部から衝撃や振動が加わると、コネクタから離脱してしまうことがあった。メモリーモジュールがコネクタから離脱してしまうと、メモリーモジュールがノートパソコンにおける記憶手段として機能しなくなるのは勿論、メモリーモジュールがノートパソコン内を自由に移動可能な状態になるため、ノートパソコン内の電気回路基板や電子部品を傷つけてしまったり、メモリーモジュールをノートパソコン内から取り出しにくくなってしまう。
【０００４】
本発明は、ノートパソコンなどの情報処理装置に外部から衝撃や振動が加わったとしても、メモリーモジュールなどの電気回路モジュールがコネクタから容易に離脱するのを防ぐことができる情報処理装置を実現することを目的とする。
【課題を解決するための手段】
【０００５】
本発明の情報処理装置は、筐体内に配された電気回路基板と、前記電気回路基板に実装され、電気回路モジュールの一方の端部に配された接続端子と電気的に接続可能な凹状の接続部を備えたコネクタと、前記接続部に対して、前記電気回路モジュールを内在可能な空隙を挟んで対向する位置に配された支持部材とを備え、前記支持部材は、前記コネクタに対する前記電気回路モジュールの挿脱方向への前記モジュールの変位を規制する位置に配されているものである。
【発明の効果】
【０００６】
本発明によれば、ノートパソコンなどの情報処理装置に外部から衝撃や振動が加わったとしても、電気回路モジュールがコネクタから容易に離脱するのを防ぐことができる。
【発明を実施するための最良の形態】
【０００７】
本発明の情報処理装置には、前記コネクタ及び前記支持部材を目視可能なように前記筐体に形成された開口部と、前記開口部を開閉可能な蓋体と、前記開口部を閉塞した状態で前記蓋体を固定するネジとを備え、前記支持部材は、前記筐体に形成された前記ネジを螺結するためのネジ穴に対して、前記ネジの螺結方向に重なる位置に配されている構成とすることができる。このような構成とすることで、誤ってネジ長が長いネジをネジ穴に螺結しようとしてしまった場合に、ネジがネジ穴を貫通してしまったとしても、ネジの先端が電気回路基板に達することがなく、電気回路基板の実装面に形成された実装パターンや保護膜などが剥離するのを防ぐことができる。
【０００８】
（実施の形態）
図１は、本実施の形態の情報処理装置の外観を示す斜視図であり、情報処理装置の一例であるノートパソコンの第１の状態を示す。なお、本実施の形態では、情報処理装置の一例としてノートパソコンを挙げたが、携帯電話端末や携帯型ゲーム機などのように各種電気回路モジュールを装着可能なスロットを備えた情報処理装置であればよい。また、本実施の形態では、電気回路モジュールの一例としてメモリーモジュールを挙げたが、通信モジュールなど他の電気回路モジュールであってもよい。
【０００９】
図１に示すように、ノートパソコンは、各種電気部品が実装された電気回路基板及び情報処理回路やハードディスクドライブなどを内蔵した第１の筐体１と、液晶ディスプレイ２ａを備えた第２の筐体２とから構成されている。第１の筐体１と第２の筐体２とは、ヒンジ部３によって互いに回動自在に支持されている。第２の筐体２を、図１に示す位置（第１の状態）から矢印Ａに示す方向へ回動させることで、液晶ディスプレイ２ａとキーボード５とが近接対向した第２の状態へ移行させることができる。また、第２の状態において第２の筐体２と対向する第１の筐体１の面を上側とすると、第１の筐体１の上面１ａには、各種文字の入力操作が可能なキーボード５と、液晶ディスプレイ２ａに表示されるカーソルを所望の位置へ移動する操作が可能なポインティングデバイス６とを備えている。なお、キーボード５やハードディスクドライブなどから入出力された情報信号は、情報処理回路で所定の処理を施し、例えば液晶ディスプレイ２ａで表示する表示信号などに変換される。
【００１０】
図２は、第１の筐体１の下面１ｂ側の構成を示す平面図である。なお、下面１ｂは、上面１ａに対向する第１の筐体１の裏面である。図２に示すように、第１の筐体１は、下面１ｂにメモリーモジュール４１（後述）を装着可能なスロット２１を備えている。なお、本実施の形態では、メモリーモジュール４１としてＤＩＭＭ（Dual Inline Memory Module）を用いたが他の仕様のメモリーモジュールであってもよく、また小型基板に電子部品が実装されている形態であればメモリーモジュールに限定されない。スロット２１は、蓋体１１によって開閉可能であり、図２は閉塞された状態を示している。蓋体１１は、ネジ５１で第１の筐体１に螺結することができ、図２はネジ５１で螺結されている状態を示している。
【００１１】
図３及び図４は、第１の筐体１内に配された電気回路基板１２におけるメモリーモジュール装着部近傍の要部斜視図である。図３は、メモリーモジュール４１が未装着の状態を示し、図４は、メモリーモジュール４１がコネクタ１３に装着された状態を示す。図５は、メモリーモジュール４１がコネクタ１３に装着された状態を示す平面図である。図６は、図２におけるＺ−Ｚ部の断面図である。
【００１２】
図３及び図４に示すメモリーモジュール装着部は、スロット２１内において、蓋体１１が開蓋状態の時に外部から目視可能な位置に配されている。メモリーモジュール装着部は、コネクタ１３と支持部材１４とを備えている。コネクタ１３は、電気回路基板１２における所定の導電パターンに電気的に接続されているとともに、爪係合などの手段を用いて電気回路基板１２に機械的に固着されている。また、コネクタ１３は、メモリーモジュール４１の端子部４４を挿入可能な開口部１３ａを備え、開口部１３ａ内にはメモリーモジュール４１の端子部４４と電気的に接続可能な複数の接触子（不図示）を備えている。なお、開口部１３ａ及び接触子は、本発明における接続部の一例である。支持部材１４は、コネクタ１３の開口部１３ａに対して所定の幅寸法を有する空隙１５を挟んで、対向した位置に配されている。また、支持部材１４は、本実施の形態では樹脂で形成され、電気回路基板１２に機械的に固着されている。
【００１３】
図４に示すように、メモリーモジュール４１は、基板４２上の主平面に複数のメモリーチップ４３が実装されて構成されている。メモリーチップ４３は、記憶素子を内蔵し、樹脂でパッケージングされたものである。なお、メモリーチップ４３は、本実施の形態では基板４２の一方の主平面のみに実装されている構成としたが、基板４２の表裏主平面に実装されている構成としてもよい。また、基板４２の一方の長辺端部には、コネクタ１３の開口部１３ａに挿入され、コネクタ１３内部に配された接触子に接触可能な複数の端子からなる端子部４４を備えている。図４に示すように、端子部４４を開口部１３ａに挿入することで、メモリーモジュール４１をコネクタ１３に電気的に接続及び機械的に装着することができる。この時のメモリーモジュール４１は、図５及び図６に示すようにコネクタ１３と支持部材１４との間の空隙１５に位置している。すなわち、支持部材１４は、電気回路基板１２（図４等参照）において、空隙１５の幅寸法ｗ１が少なくともメモリーモジュール４１の基板４２の幅寸法ｗ２よりも大きくなる位置に固着されている。また、寸法ｗ１は、コネクタ１３に装着されたメモリーモジュール４１の端部４５が支持部材１４の規制面１４ｂ（支持部材１４においてコネクタ１３の開口部１３ａに対向する面）に当接した時に、コネクタ１３内の接触子と端子部４４との電気的接続が解除されない寸法に設定されている。具体的には、メモリーモジュール４１がコネクタ１３に装着された状態において、基板４２と支持部材１４との隙間をｗ３、端子部４４の幅寸法をｗ４とした時、「ｗ３＜ｗ４」の関係になるようにコネクタ１３と支持部材１４を配置する。但し、この関係は、コネクタ１３内に配された接触子が、少なくともコネクタ１３の端面１３ｂ（支持部材１４の規制面１４ｂに対向する面）に最も近い位置に配されている場合である。なお、端子部４４は基板４２の一部に形成されているが、本実施の形態の説明では、基板４２の幅寸法ｗ２には端子部４４を含まないものとして説明している。
【００１４】
このように支持部材１４を備えたことにより、コネクタ１３に装着されたメモリーモジュール４１が矢印Ｂに示す方向へ大きく変位するのを規制することができる。すなわち、コネクタ１３にメモリーモジュール４１が装着された状態で第１の筐体１に衝撃や振動が加わり、メモリーモジュール４１が矢印Ｂに示す方向へ変位しようとした場合、メモリーモジュール４１の他方の長辺端部４５が支持部材１４の規制面１４ｂに当接し、メモリーモジュール４１のさらなる矢印Ｂに示す方向への変位を規制することができ、メモリーモジュール４１がコネクタ１３から電気的及び機械的に離脱するのを防ぐことができる。よって、メモリーモジュール４１がノートパソコンにおける記憶手段としての機能を持続させることができる。
【００１５】
また、空隙１５の幅寸法ｗ１は、端部４５が規制面１４ｂに当接した状態でコネクタ１３の接触子とメモリーモジュール４１の端子部４４との電気的接続が確保されるような寸法に設定されているため、たとえ端部４５が規制面１４ｂに当接した状態になったとしても、コネクタ１３内に配された接触子とメモリーモジュール４１の端子部４４との電気的接続が遮断されることを防ぐことができる。
【００１６】
なお、メモリーモジュール４１をコネクタ１３に装着する際には、基板４２を支持部材１４の上面に当接した状態で開口部１３ａの位置に端子部４４を合わせ、支持部材１４側から基板４２を押圧することで容易に装着できる。また、図５ではコネクタ１３方向にメモリーモジュール４１を装着する装着方向に直交する基板４２の幅が、支持部材１４の幅よりも短い構成を図示しているが、例えば基板４２の幅を支持部材１４の幅よりも長い構成を採用すると、支持部材１４の幅よりも長い基板４２を押圧することができ、開口部１３へ端子部４４を確実に装着できる。
【００１７】
次に、支持部材１４におけるネジ受け構造について説明する。
【００１８】
図３〜図５に示すように、支持部材１４には略円形の開口を有する凹部１４ａを備えている。凹部１４ａは、図６に示すように、蓋体１１に形成された孔部１１ｂ、および第１の筐体１に形成されたネジ穴１６に、第１の筐体１の厚さ方向に重なる位置に形成されている。また、凹部１４ａは、有底の凹部である。
【００１９】
図６に示すように、本実施の形態において蓋体１１を閉蓋状態で固定するためのネジ５１は、そのネジ長が蓋体１１の厚さ寸法と第１の筐体１の肉厚寸法との合計厚さ寸法と同寸かそれよりも短いものが用いられる。したがって、ネジ５１は、孔部１１ｂを介してネジ穴１６に螺結されている状態では、その先端は第１の筐体１の内面１ｄ（下面１ｂに対して、第１の筐体１の内側の面）よりも突出せずにネジ穴１６内に収まっているか、内面１ｄから第１の筐体１の内部空間側に突出したとしても電気回路基板１２には到達しないような僅かな突出量である。
【００２０】
ところが、使用者が誤って、ネジ５１のネジ長よりも長いネジ長を有する他のネジを、孔部１１ｂを介してネジ穴１６に螺結しようとした場合、ネジの先端がネジ穴１６を貫通して電気回路基板１２に到達してしまう場合がある。このような問題は、例えば、図２に示すように、第１の筐体１の下面１ｂにスロット２１以外の他のスロット６１（例えば通信モジュールを装着するためのスロット）が備わり、さらにそのスロット６１を閉塞する蓋体６２を固定するためのネジ６３のネジ長がネジ５１のネジ長よりも長い場合に生じることがある。この時、ネジ６３の先端が電気回路基板１２の実装面に到達してしまうと、電気回路基板１２の実装面に形成されている実装パターンや保護膜を損傷してしまう問題が生じる。また、たとえネジ６３の先端が電気回路基板１２に到達していなくても、ネジ６３の先端と電気回路基板１２の実装面との隙間が微小であった場合、第１の筐体１や蓋体１１が矢印Ｃに示す方向へ弾性変形した時にネジ６３の先端が電気回路基板１２の実装面に接触することとなり、電気回路基板１２の実装面に形成されている実装パターンや保護膜を損傷してしまう問題が生じる。
【００２１】
そこで本実施の形態では、図３〜図５，図７に示すように、支持部材１４におけるネジ穴１６に対応する位置に有底の凹部１４ａを設けた。このような構成とすることにより、ネジ穴１６に、誤ってネジ５１よりもネジ長が長いネジ６３を螺結しようとしても、図７に示すようにネジ６３の先端が有底の凹部１４ａに当接し、ネジ６３がそれ以上矢印Ｃに示す方向へ変位するのを規制することができる。したがって、ネジ６３の先端が電気回路基板１２に到達することがなく、電気回路基板１２の実装パターンや保護膜がネジ６３によって損傷されてしまうことを防止することができる。
【００２２】
以上のように本実施の形態によれば、コネクタ１３に対して空隙１５を挟んで対向する位置に支持部材１４を備えた構成とすることにより、コネクタ１３に装着されたメモリーモジュール４１が矢印Ｂに示す方向へ大きく変位するのを規制することができるので、第１の筐体１に衝撃や振動が加わったとしても、メモリーモジュール４１がコネクタ１３から離脱するのを防ぐことができる。よって、メモリーモジュール４１が第１の筐体１内を自由に移動することがないため、メモリーモジュール４１による電気回路基板１２の損傷や、電気的にショートさせてしまうことがない。また、メモリーモジュール４１がコネクタ１３から離脱して第１の筐体１内を自由に移動できる状態になり、例えばメモリーモジュール４１が蓋体１１により閉塞する開口範囲から第１の筐体１内の奥の方へ移動してしまい、メモリーモジュール４１を第１の筐体１から取り出しにくくなるという問題が生じるが、本実施の形態のようにメモリーモジュール４１の位置を規制する構成であれば、このような問題は生じない。
【００２３】
また、支持部材１４に有底の凹部１４ａを備えたことにより、使用者が誤ってネジ５１のネジ長よりも長いネジ長を有するネジ６３をネジ穴１６に螺結しようとしても、ネジ６３の先端が凹部１４ａの有底に当接することで電気回路基板１２に到達することを防ぎ、電気回路基板１２の実装パターンや保護膜の損傷を防ぐことができる。
【００２４】
また、ネジ６３の先端を受ける凹部１４ａを支持部材１４に一体的に備えたことにより、ネジ６３の先端を受ける部材を別途設ける必要がなく、部品コストを削減することができるとともに、電気回路基板１２上におけるスペース効率を向上させることができノートパソコンを小型化することができる。
【００２５】
なお、本実施の形態では、支持部材１４は、樹脂成形により形成する構成としたが、少なくともメモリーモジュール４１の矢印Ｂに示す方向への大きな変位を防止することができるとともに、ネジ長が長いネジが螺結されようとした時にネジの先端が電気回路基板１２に到達するのを防ぐことができれば、他の材料（例えば金属など）で形成されていてもよい。
【００２６】
また、本実施の形態では、支持部材１４をメモリーモジュール４１とコネクタ１３との電気的接続を確保できる位置に配置する構成としたが、少なくともメモリーモジュール４１とコネクタ１３との機械的装着を確保することができる位置に配置する構成としてもよい。すなわち、ノートパソコンに衝撃などが加わってメモリーモジュール４１がコネクタ１３から離脱する方向へ変位して端子部４４とコネクタ１３の接触子とが離間したとしても、メモリーモジュール４１がコネクタ１３に機械的に装着され支持部材１４により位置が規制されていれば、メモリーモジュール４１が第１の筐体１内を自由に移動することがないため、電気回路基板１２の損傷や、メモリーモジュール４１が第１の筐体１内における取り出しにくい位置へ移動してしまうことを防ぐことができる。
【００２７】
また、本実施の形態では、ネジ穴１６を貫通したネジ６３を受けるために有底の凹部１４ａを備えたが、少なくともネジ長が長いネジの先端を受けることができれば、必ずしも凹状に形成する必要はない。例えば、凹部１４ａを設けず、支持部材１４の表面（平面）で受ける構成としてもよい。
【００２８】
また、支持部材１４にケーブル保持構造を備えてもよい。近年のノートパソコンには、無線ＬＡＮシステムや広域ネットワークシステムなどの無線通信に対応したものが増えてきており、そのような無線通信を行うための通信モジュールを備えていることが多い。このような通信モジュールは、第２の筐体２に内蔵されたアンテナモジュール（不図示）と電気的に接続されるが、アンテナモジュールと通信モジュールとの接続は不要ノイズに対する耐性を確保するために、ビニールなどの絶縁体で被覆されたケーブルで電気的に接続する構成をとっていることが多い。このケーブルは、一方の端部が通信モジュールに接続固定され、他方の端部がアンテナモジュールに接続固定されているが、両端の間の部分は何等かの手段を用いてノートパソコン内の任意の箇所に固定する必要がある。従来のノートパソコンでは、筐体の内壁や電気回路基板上にケーブルを固定するためのスペースを別途確保していることが多く、ノートパソコンの小型化を阻害する要因となっていた。
【００２９】
そこで、本実施の形態では、支持部材１４における空きスペースに、ケーブルを保持するためのケーブル保持構造を備えることができる。図８は、ケーブル保持部７０を備えた支持部材１４を含むメモリーモジュール装着部の要部斜視図である。図９は、図８に示すメモリーモジュール装着部の支持部材１４にケーブル８０を保持させた状態の要部平面図である。図８に示すように、支持部材１４にケーブル８０（図９参照）を保持させることが可能なケーブル保持部７０を備える構成とすることができる。ケーブル保持部７０は、支持部材１４の上面１４ｃ（支持部材１４における電気回路基板１２に固着されている面の裏面）に配され、側面視が略Ｌ字状の係合部７１，７２，７３と、略円筒形状の突起部７４，７５とから構成されている。また、ケーブル保持部７０は、支持部材１４に一体形成されている。係合部７１〜７３は、支持部材１４の上面１４ｃから略垂直方向（矢印Ｅ１方向）に立設された縦壁部と、縦壁部の頂部近傍から水平方向（Ｄ軸方向）に突出形成された横壁部とから構成されている。係合部７１及び７３の横壁部は、縦壁部に対して矢印Ｄ２方向に突出形成され、係合部７２の横壁部は、縦壁部に対して矢印Ｄ１方向に突出形成されている。よって、横壁部と上面１４ｃとの間には空隙が存在する。
【００３０】
係合部７１〜７３にケーブル８０を保持する際は、係合部７１〜７３における横壁部と支持部材１４の上面１４ｃとの間の空隙にケーブル８０を配置する。この時、係合部７１及び７３における縦壁部に対する横壁部の突出形成方向と係合部７２における縦壁部に対する横壁部の突出形成方向とが互いに対向しているため、係合部７１及び７３はケーブル８０の矢印Ｄ１方向への変位を形成し、係合部７２はケーブル８０の矢印Ｄ２方向への変位を規制することができる。また、係合部７１〜７３の横壁部で、ケーブル８０の矢印Ｅ１方向への変位を規制することができる。また、突起部７４は、ケーブル８０の矢印Ｄ１方向への変位を規制することができる。また、突起部７５は、ケーブル８０の矢印Ｄ２方向への変位を規制することができる。このような構成により、ケーブル８０のＤ軸方向及びＥ軸方向への変位を規制することができ、ケーブル８０を支持部材１４に保持させることができる。したがって、第１の筐体１の内壁や、電気回路基板１２においてケーブル８０を保持するための構造を配置するスペースを確保する必要がないため、ノートパソコンを小型化することができる。
【００３１】
なお、図８及び図９に示す構成では、支持部材１４に係合部７１〜７３，突起部７４，７５を備える構成としたが、係合部７１〜７３のみを備える構成、または突起部７４，７５のみを備える構成としてもよい。但し、突起部７４，７５は、ケーブル８０の矢印Ｅ１方向への規制がないため、より確実にケーブル８０を保持するためには係合部７１〜７３を備える構成を採用する方が好ましい。また、係合部７１，７３は、いずれか一つのみを備えるだけでも、ケーブル８０を保持することができる。
【産業上の利用可能性】
【００３２】
本発明の情報処理装置は、ノートパソコンなどのように、各種モジュールを装着することができるスロットを備えた機器に有用である。
【図面の簡単な説明】
【００３３】
【図１】本実施の形態における情報処理装置の一例であるノートパソコンの外観を示す斜視図
【図２】情報処理装置の下面側の構成を示す平面図
【図３】メモリーモジュールが未装着状態のメモリーモジュール装着部の斜視図
【図４】メモリーモジュールが装着された状態のメモリーモジュール装着部の斜視図
【図５】メモリーモジュールが装着された状態のメモリーモジュール装着部の平面図
【図６】図２におけるＺ−Ｚ部の断面図
【図７】ネジ長が長いネジが螺結された状態を示すメモリーモジュール装着部の断面図
【図８】メモリーモジュール装着部の他の構成例を示す斜視図
【図９】メモリーモジュール装着部の他の構成例を示す平面図
【符号の説明】
【００３４】
１  第１の筐体
１３  コネクタ
１４  支持部材
４１  メモリーモジュール
【図１】
2010092231.tif 000003
【図２】
2010092231.tif 000004
【図３】
2010092231.tif 000005
【図４】
2010092231.tif 000006
【図５】
2010092231.tif 000007
【図６】
2010092231.tif 000008
【図７】
2010092231.tif 000009
【図８】
2010092231.tif 000010
【図９】
2010092231.tif 000011